(57)【要約】【課題】従来の照明システムは、作業面の照度を目標照度に一定で保つために、アンビエント照明装置で不足した照度をタスク照明装置が補っているので、アンビエント照明装置の光出力が小さい等で周囲の照度が低い場合には、作業面の照度を目標照度となるようにタスク照明装置で補って照明すると、作業面の照度と周囲の照度の照度差が大きくなるので、ユーザーは作業面が眩しく感じられ、逆に作業がし難くなるという問題があった。【解決手段】机上面等の照射面を照明する光源と、周囲の照度を検出する照度センサと、照度センサで検出した周囲の照度に応じて光源の出力を制御する制御部とを備える照明装置において、制御部は、周囲の照度が所定の第１照度以下であれば、照射面の照度と周囲の照度の照度差が、周囲の照度が第１照度である場合の照度差よりも小さくなるように、光源の出力を制御することを特徴とする。【選択図】図１
2010153243.tif 000002
【特許請求の範囲】
【請求項１】
机上面等の照射面を照明する光源と、周囲の照度を検出する照度センサと、該照度センサで検出した周囲の照度に応じて前記光源の出力を制御する制御部とを備える照明装置において、
前記制御部は、
前記周囲の照度が所定の第１照度以下であれば、前記照射面の照度と前記周囲の照度の照度差が、周囲の照度が第１照度である場合の照度差よりも小さくなるように、前記光源の出力を制御すること
を特徴とする照明装置。
【請求項２】
前記照射面の照度と前記周囲の照度の照度差は、前記周囲の照度が小さくなるにつれて、徐々に小さくなること
を特徴とする請求項１に記載の照明装置。
【請求項３】
前記制御部は、
前記周囲の照度が前記第１照度よりも大きければ、前記照射面の照度が所定の目標照度となるように、前記光源の出力を制御すること
を特徴とする請求項１または請求項２に記載の照明装置。
【請求項４】
前記制御部は、
前記周囲の照度が前記第１照度以下であれば、前記光源による照度と前記周囲の照度の比が所定の照度比となるように、前記光源の出力を制御すること
を特徴とする請求項１から請求項３の何れか１項に記載の照明装置。
【請求項５】
前記制御部は、
前記周囲の照度が前記第１照度以下であれば、前記光源による照度と前記周囲の照度の照度差を所定の照度差となるように、前記光源の出力を制御すること
を特徴とする請求項１から請求項３の何れか１項に記載の照明装置。
【請求項６】
前記第１照度は、前記目標照度の略半分であること
を特徴とする請求項２から請求項５までの何れか１項に記載の照明装置。
【請求項７】
前記制御部は、
前記周囲の照度が所定の第２照度以下であれば、前記照射面の照度が所定の最低保証照度以上となるように、前記光源の出力を制御すること
を特徴とする請求項１から請求項６までの何れか１項に記載の照明装置。
【請求項８】
机上面等の照射面を照明する照明方法であって、
周囲の照度を検出する工程と、
該周囲の照度を記憶部に記憶された所定の第１照度と比較する工程と、
前記周囲の照度が前記所定の第１照度以下であれば、前記照射面の照度と前記周囲の照度の照度差が、周囲の照度が第１照度である場合の照度差よりも小さくなるように、光源の出力を制御する工程とを有すること
を特徴とする照明方法。
【発明の詳細な説明】
【技術分野】
【０００１】
本発明は、周囲の照度に応じて光源の出力の制御を行う照明装置、および照明方法に関する。
【背景技術】
【０００２】
近年、オフィスの照明方法として、省エネルギー化を目的に、天井に取り付けられ室内空間全体を照明する全般照明装置（アンビエント照明装置）と例えば机上面である作業面を照明する局所照明装置（タスク照明装置）を組み合わせた照明方法が提案されている。（例えば特許文献１）
特許文献１に記載の従来の照明システムは、作業面を照明するためのタスク照明装置の光出力と、室内空間全体に照明するためのアンビエント照明装置の光出力を連動制御する照明システムである。該照明システムは、作業面の照度が時間帯に応じて決められる所定の目標照度となるように、それぞれの照明装置の光出力を制御することにより、作業者（ユーザー）の覚醒感や集中感の低下を抑えつつ、省エネルギー化を図るものである。
【特許文献１】特開２００５−２３５５５３号公報
【発明の開示】
【発明が解決しようとする課題】
【０００３】
しかし、上記特許文献１に記載されている照明システムは、作業面の照度を目標照度で一定に保つために、アンビエント照明装置で不足した照度をタスク照明装置が補っているので、アンビエント照明装置の光出力が小さい等で周囲の照度が低い場合には、それに反比例して、タスク照明装置の光出力が大きくなる構成である。従って、そのような周囲の照度が低い場合には、作業面の照度を目標照度となるようにタスク照明装置で補って照明すると、作業面の照度と周囲の照度の照度差が大きくなるので、ユーザーは作業面が眩しく感じられ、逆に作業がし難くなるという問題があった。
【課題を解決するための手段】
【０００４】
本発明の照明装置は、机上面等の照射面を照明する光源と、周囲の照度を検出する照度センサと、照度センサで検出した周囲の照度に応じて光源の出力を制御する制御部とを備える照明装置において、制御部は、周囲の照度が所定の第１照度以下であれば、照射面の照度と周囲の照度の照度差が、周囲の照度が第１照度である場合の照度差よりも小さくなるように、光源の出力を制御することを特徴とする。
【０００５】
本発明によれば、周囲の照度が所定の第１照度値以下では、机上面等の照射面が周囲に対して相対的に明るくなり過ぎることを避けることができるので、ユーザーが照射面を眩しく感じることを抑制でき、目に優しい照明とすることができる。また、スタンドライトの出力を下げることができるので、省エネルギーを図ることができる。
【０００６】
本発明の照明装置は、さらに、照射面の照度と周囲の照度の照度差は、周囲の照度が小さくなるにつれて、徐々に小さくなることを特徴とする。
【０００７】
本発明によれば、明所視と、薄明視および暗所視とで異なる人の目の光の感じ方の違いに対応することができ、ユーザーが照射面を眩しく感じることを抑制でき、より目に優しい照明とすることができる。
【０００８】
本発明の照明装置は、さらに、制御部は、周囲の照度が第１照度よりも大きければ、照射面の照度が所定の目標照度となるように、光源の出力を制御することを特徴とする。
【０００９】
本発明によれば、周囲の照度が所定の第１照度値以下では、人の目に優しい照明を可能としながら、第１照度よりも大きければ、目標照度となるように、光源の出力制御を行うので、必要以上に照射面を明るく照明することがなく、省エネルギーを図ることができる。
【００１０】
本発明の照明装置は、さらに、制御部は、周囲の照度が第１照度以下であれば、光源による照度と周囲の照度の比が所定の照度比となるように、光源の出力を制御することを特徴とする。
【００１１】
本発明によれば、周囲の照度が所定の第１照度値以下では、机上照度と周囲の照度の照度差が、第１照度である場合の照度差よりも小さくすることができるので、机上面等の照射面が周囲に対して相対的に明るくなり過ぎることを避けることができ、ユーザーが照射面を眩しく感じることを抑制して、目に優しい照明とすることができる。
【００１２】
本発明の照明装置は、制御部は、周囲の照度が第１照度以下であれば、光源による照度と周囲の照度の照度差を所定の照度差となるように、光源の出力を制御することを特徴とする。
【００１３】
本発明によれば、周囲の照度が所定の第１照度値以下では、机上照度と周囲の照度の照度差が、第１照度である場合の照度差よりも小さくすることができるので、机上面等の照射面が周囲に対して相対的に明るくなり過ぎることを避けることができ、ユーザーが照射面を眩しく感じることを抑制して、目に優しい照明とすることができる。
【００１４】
本発明の照明装置は、第１照度は、目標照度の略半分であることを特徴とする。
【００１５】
本発明によれば、周囲の照度が、机上面等の照射面の照度の略半分程度の暗さになれば、机上照度と周囲の照度の照度差を、第１照度である場合の照度差よりも小さくすることにより、ユーザーが照射面を眩しく感じることを抑制して、目に優しい照明とすることができる。
【００１６】
本発明の照明装置は、制御部は、周囲の照度が所定の第２照度以下であれば、照射面の照度が所定の最低保証照度以上となるように、光源の出力を制御することを特徴とする。
【００１７】
本発明によれば、第１照度以下であっても、第２照度以下であれば、照射面の照度を最低保証照度に維持することができ、ユーザーが作業を行う上で少なくとも必要な照度を確保することができる。
【００１８】
本発明の照明方法は、机上面等の照射面を照明する照明方法であって、周囲の照度を検出する工程と、周囲の照度を記憶部に記憶された所定の第１照度と比較する工程と、周囲の照度が所定の第１照度以下であれば、照射面の照度と周囲の照度の照度差が、周囲の照度が第１照度である場合の照度差よりも小さくなるように、光源の出力を制御する工程とを有することを特徴とする。
【００１９】
本発明の照明方法によれば、周囲の照度が所定の第１照度値以下では、机上面等の照射面が周囲に対して相対的に明るくなり過ぎることを避けることができるので、ユーザーが照射面を眩しく感じることを抑制でき、目に優しい照明とすることができる。また、スタンドライトの出力を下げることができるので、省エネルギーを図ることができる。
【発明の効果】
【００２０】
本願発明によれば、ユーザーに眩しさを感じさせることのない照明が可能となる。
【発明を実施するための最良の形態】
【００２１】
以下、本発明に係る照明装置として、タスク照明装置としてのスタンドライトの実施の形態について、図面を用いて説明する。
【００２２】
（実施の形態１）
図１は、実施の形態１のスタンドライトの光出力を示すグラフである。図２は、実施の形態１のスタンドライトが設置された室内を示す概念図である。図３は、実施の形態１のスタンドライトの構成を示すブロック図である。
【００２３】
図２に示すように、室内の天井には室内全体を照明するアンビエント照明装置としてのシーリングライト７が設置され、机上には照射面である机上面を照明するタスク照明装置としてのスタンドライト１が設置されている。ユーザーは、室内全体をシーリングライト７によって照明した上で、さらにスタンドライト１により手元の机上面を照明することによって、作業を行うのに必要な照度を確保している。
【００２４】
シーリングライト７は、ドーム形状のカバー８内部に光源として発光ダイオード（以下、ＬＥＤと記す）を備えている。前記カバー８は、例えばポリカーボネートからなる乳白色の拡散部であり、ＬＥＤから出射された光を拡散することによって、室内全体を照明することができる。
【００２５】
スタンドライト１は、スタンドライト１を机上に設置するための設置部２と、光源を備える照明部３と、該照明部３を前記設置部２に取り付けて支持する支持部４とから構成される。照明部３は、略長方体形状であり、机上面と対向する側には、複数のＬＥＤを基板に実装して構成される光源としてのＬＥＤモジュールが設けられ、その反対の天井と対向する側には、周囲の照度を計測する照度センサ５が設けられている。また、前記設置部２の内部には、外部から供給される交流電圧を直流電圧に変換する電源回路１０が設けられ、さらに、前記照度センサ５で検出した周囲の照度に応じてＬＥＤモジュールの光の出力を制御する制御装置１２が、前記設置部２に収容されている。また、設置部２には、ユーザーが電源のオン／オフ等の操作を行うための操作スイッチ６（以下スイッチをＳＷと記す）が設けられている。なお、照度センサ５の取り付けられる位置は、スタンドライト１の照明部３でなくてもよく、例えば支持部４に設けられていてもよい。
【００２６】
次に、スタンドライト１を構成する電気部品の電気的な接続関係を、図３のブロック図を用いて説明する。
【００２７】
図３に示すように、スタンドライト１は、外部から交流電圧の供給を受けて直流電圧に変換する電源回路１０と、該電源回路１０から供給される直流電圧で駆動される照明部３のＬＥＤモジュール１１と、該ＬＥＤモジュール１１の光の出力を制御する制御装置１２と、ユーザーがスタンドライト１を操作するための操作ＳＷ６と周囲の照度を検出する照度センサ５からなるインターフェイス部１３とから構成される。
【００２８】
さらに、制御装置１２は、電源回路１０から供給される直流電圧を変圧して制御用マイコン１５を駆動する制御電源供給回路１４と、インターフェイス部１３の照度センサ５から入力される周囲の照度に応じてＬＥＤモジュール１１の出力を決定して制御を行う制御部としての制御用マイコン１５と、制御用マイコン１５の出力に応じてＬＥＤモジュール１１をＰＷＭ（Ｐｕｌｓｅ  Ｗｉｄｔｈ  Ｍｏｄｕｌａｔｉｏｎ）制御を行うスイッチング回路としてのＰＷＭ制御ＦＥＴスイッチ１６と、操作ＳＷ６からの入力に応じて制御用マイコン１５に操作ＳＷ入力信号を送信するＳＷ入力部１７と、照度センサ５からの入力に応じて制御用マイコン１５に照度センサ入力信号を送信するセンサ入力部１８とから構成される。
【００２９】
上記構成のスタンドライト１は、照度センサ５で検出した周囲の照度に応じて、照明部３のＬＥＤモジュール１１の光出力を制御するが、ユーザーに照射面を眩しく感じさせないように、周囲の照度に応じてスタンドライト１の光出力を制御する制御の一例について、図１を用いて説明する。
【００３０】
図１のグラフの横軸は周囲の照度（単位はルクス（ｌｘ））を示しており、縦軸は照射面の照度である机上照度またはスタンドライト１の出力照度（単位はルクス（ｌｘ））を示している。なお、机上照度を四角の記号を結んだ折れ線で示し、スタンドライト１の出力照度を三角の記号を結んだ折れ線で示している。
【００３１】
ここで、本明細書で言うスタンドライト１の出力照度とは、スタンドライト１のみで机上を照明した場合に、机上の照射面で計測される照度を示す。また、机上照度とは、主にシーリングライト７の照明による照度とスタンドライト１の出力照度の和である。さらにまた、周囲の照度とは、スタンドライト１の照度センサ５で検出される照度であり、シーリングライト７の照明による照度と室内の窓を通過して差し込む外光等の照度の和である。
【００３２】
本実施の形態においては、スタンドライト１のＬＥＤモジュール１１の出力は、周囲の照度が、図１に示すＡからＤの何れの範囲に属するかによって、それぞれ異なる方式で制御される。なお、スタンドライト１の出力照度は、ＬＥＤモジュール１１の出力に比例するので、周囲の照度に応じて制御されることになる。
【００３３】
周囲の照度がＡからＤのそれぞれの範囲に属する場合について、スタンドライト１のＬＥＤモジュール１１の出力がどのように制御されるかについて説明する。
【００３４】
まず、周囲の照度がＡの範囲（０ｌｘ〜５０ｌｘ）に属する場合においては、スタンドライト１の出力照度は、周囲の照度に応じて、机上照度が最低保証照度である１００ｌｘで一定となるように制御される。ここで、最低保証照度とは、ユーザーが作業を行う上で少なくとも必要な照度を意味する。本実施の形態の場合は、１００ｌｘとしているが、これに限定されず、他の値でも構わない。特に、照明学会「屋内照度基準」によると、局部照明の照度（本実施の形態で言う机上照度）として、１００ｌｘ〜１０００ｌｘが推奨されているので、その範囲に含まれるようにしてもよい。また、ＪＩＳ「照度基準」によると、設計・製図等の特に細かい視作業を必要としないオフィスの照度は、１００ｌｘから７５０ｌｘとされているため、室内で行われる作業の内容に応じて、最低保証照度が設定されることが好ましい。
【００３５】
次に、周囲の照度がＢの範囲（５０ｌｘ〜２５０ｌｘ）に属する場合においては、スタンドライト１の出力照度は、周囲の照度に応じて、周囲の照度の照度比が一定となるように制御される。本実施の形態においては、スタンドライト１の出力照度と周囲の照度の照度比は、１：１となるように制御される。なお、照度比はこれに限定されず、例えば１：１から５：１の範囲にあればよい。つまり、机上照度が、周囲の照度に対して２倍以上の明るさになれば、ユーザーが、作業面が周囲に対して明るく眩しいと感じる虞があるということになる。
【００３６】
なお、机上照度は、スタンドライト１の出力照度と周囲の照度の和に略等しいので、スタンドライト１の出力照度と周囲の照度の照度比が１：１であれば、机上照度と周囲の照度の照度比は２：１となる。よって、机上照度と周囲の照度の照度比を、２：１から６：１の間に含まれるようにしてもよい。
【００３７】
このように、周囲の照度が所定の第１照度（２５０ｌｘ）以下となってある程度暗くなれば、スタンドライト１の出力照度を、周囲の照度に応じて、周囲の照度と所定の照度比となるように制御することにより、机上照度と周囲の照度の照度差が、第１照度である場合の照度差よりも小さくすることができる。また、机上照度と周囲の照度の照度比を一定に保っているので、周囲の照度が小さくなるほど、机上照度と周囲の照度の照度差が小さくすることができる。よって、作業面が周囲に対して相対的に明るくなり過ぎることを避けることができるので、ユーザーが作業面を眩しく感じることを抑制でき、目に優しい照明とすることができる。また、スタンドライト１の出力を下げることができるので、省エネルギーを図ることができる。
【００３８】
また、周囲の照度がＣの範囲（２５０ｌｘ〜５００ｌｘ）に属する場合においては、スタンドライト１の出力照度は、周囲の照度に応じて、照射面の机上照度が目標照度である５００ｌｘで一定となるように制御される。
【００３９】
このように、机上の照度を目標照度に一定に保つことにより、作業面を一定の照度で照明されるので、ユーザーが作業を行いやすい環境を構築することができる。
【００４０】
さらにまた、周囲の照度がＤの範囲（５００ｌｘ以上）に属する場合においては、スタンドライト１は消灯させる。この場合は、シーリングライト７の照明等で、照射面の机上照度が、作業を行うのに十分である照度に達しているからである。このように、周囲の照度が十分である場合は、スタンドライト１を消灯させることにより、省エネルギーを図ることができる。なお、本実施の形態においては、周囲の照度を５００ｌｘ以上としているが、これに限定されず他の値でも構わない。また、スタンドライト１を消灯させずに、常夜灯のように僅かに点灯させていてもよい。さらにまた、光源としてＬＥＤモジュール１１を用いているので、ＰＷＭ制御にて出力を非常に小さくしたとしても、光源の寿命が短くなることはない。
【００４１】
以上、このように、周囲の照度に応じた複数の制御方式によってＬＥＤモジュール１１の出力を制御することによって、作業面が人の目に眩しく感じられることを抑制するとともに、必要以上の出力でＬＥＤモジュール１１を駆動して照明することがないので、省エネルギーを図ることが可能となる。
【００４２】
図４は、実施の形態１のスタンドライト１の光源の出力を周囲の照度に応じて制御する制御フロー図である。図５は、図４に記載の制御フロー図において、ＬＥＤ出力値を算出するＬＥＤ出力値算出処理のフロー図である。図４および図５を用いて、周囲の照度に応じて、光源であるＬＥＤモジュール１１の出力を制御する制御方法について説明する。
【００４３】
まず、スタンドライト１の操作ＳＷ６で電源が投入されてオンされる（Ｓ２）前に、照度センサ５が周囲の初期照度（Ａ０）を検出する（Ｓ１）。センサ入力部１８は、検出した初期照度を制御用マイコン１５に送信して制御用マイコン１５内の記憶部（ＥＰＲＯＭ）に記憶する。照度センサ５は、電源がオンされる前は一定の間隔で初期照度を検出して、制御用マイコン１５に記憶されている初期照度を更新する。
【００４４】
次に、電源がオンされると（Ｓ２）、ＬＥＤモジュール１１を例えば１００％の出力で点灯させて、照射面を照明する（Ｓ３）。その後、照度センサ５が、周囲の照度（Ａ１）を再度検出して、センサ入力部１８が制御用マイコン１５に検出した照度（Ａ１）を送信する（Ｓ４）。制御用マイコン１５は、Ａ１が入力されると、まわりこみ照度（ΔＡ）を算出する（Ｓ５）。まわりこみ照度とは、スタンドライト１を点灯することにより、照射面で反射されるなどして照度センサ５が検出する周囲の照度に影響する照度を示し、その値は、ΔＡ＝Ａ１−Ａ０を計算することにより算出される。
【００４５】
さらに、周囲の照度（ＡＬ）としてＡ０を入力する（Ｓ６）。なお、電源がオンされた後、１００％で点灯を開始しているが、これに限定されず、その点灯の前回に電源をオフにした時のＬＥＤモジュール１１の出力を制御用マイコン１５の記憶部に記憶させておき、その値を読み出すことによって、その出力値で点灯を開始させてもよい。
【００４６】
次に、ＬＥＤ出力値を算出する（Ｓ７）。ＬＥＤ出力値は、図５に示すＬＥＤ算出処理フローにより算出される。このＬＥＤ算出処理フローについては、後述する。
【００４７】
ＬＥＤ出力値が算出されると、現在のＬＥＤモジュール１１の出力値と比較して出力値の変更が必要であるかを判断する（Ｓ８）。出力値が異なり、出力値の変更が必要であれば、算出した出力値でＬＥＤモジュール１１を点灯させる（Ｓ９）。出力値が同じであれば、出力値を変更せずに、そのまま継続して照明を行う。
【００４８】
次に、ＬＥＤ出力値の変更に関わらず、再度照度センサ５が周囲の照度（Ａ２）を検出し（Ｓ１０）、まわりこみ照度を除いた正確な周囲の照度（ＡＬ）を算出する（Ｓ１１）。ＡＬは、ＡＬ＝Ａ２−ΔＡを計算することにより算出される。正確な周囲の照度が入力されると、再度Ｓ７に戻り、ＬＥＤ出力値の算出を行う。
【００４９】
このように、まわりこみ照度を考慮して周囲の照度を算出することにより、より正確に周囲の照度を検出することができる。また、ＬＥＤ出力値の変更があった場合だけでなく、ＬＥＤ出力値の変更がない場合においても、まわりこみ照度を考慮して正確な周囲の照度（ＡＬ）が検出しているので、時間の経過とともに変化する周囲の照度の変化を常に正確に検出することができる。
【００５０】
次に、図５を用いて、ＬＥＤ出力値の算出処理フローについて説明を行う。
【００５１】
まず、周囲の照度（ＡＬ）が、目標照度である５００ｌｘの略半分である２５０ｌｘより大きいかについて判断する（Ｓ２１）。
【００５２】
周囲の照度（ＡＬ）が、２５０ｌｘより大きい場合には、次に、周囲の照度（ＡＬ）が５００ｌｘより大きいかについて判断する（Ｓ２２）。５００ｌｘより大きい（図１のＤの範囲に属する）のであれば、周囲の照度のみで、机上照度は目標照度を確保しているため、スタンドライト１の出力照度（ＬＯ）を０ｌｘとする（Ｓ２３）。また、５００ｌｘ以下（図１のＣの範囲に該当）であれば、スタンドライト１の出力照度（ＬＯ）を、ＬＯ＝５００−ＡＬを計算して算出する（Ｓ２４）。
【００５３】
次に、周囲の照度（ＡＬ）が、２５０ｌＸ以下である場合には、次に、周囲の照度（ＡＬ）が、最低保証照度の１００ｌｘの略半分である５０ｌｘ以下であるかについて判断する（Ｓ２５）。５０ｌｘ以下（図１のＡの範囲に属する）であれば、スタンドライト１の出力照度を、ＬＯ＝１００−ＡＬを計算して算出する（Ｓ２６）。また、５０ｌｘより大き（図１のＢの範囲に属する）ければ、スタンドライト１の出力照度を、ＬＯ＝ＡＬとして算出する（Ｓ２７）。
【００５４】
以上のように、スタンドライト１の出力照度（ＬＯ）が算出されれば、次にその出力照度を為すための、スタンドライト１の光源であるＬＥＤモジュール１１の出力値を決定する（Ｓ２８）。スタンドライト１の出力照度（ＬＯ）からＬＥＤモジュール１１の出力値を決定するには、制御用マイコンの記憶部に記憶されている変換テーブルを用いる。前記変換テーブルには、それぞれの出力照度（ＬＯ）に対応するＬＥＤモジュール１１の出力値がテーブルとしてリストされており、これは照明部３の照射面からの高さや、照明部３の直下の位置と作業を行う位置の距離等を基に予め求めて、記憶させておいたものである。
【００５５】
スタンドライト１の出力照度（ＬＯ）から、ＬＥＤモジュール１１の出力値が決定されると、制御用マイコン１５は、決定された出力値に応じて、ＬＥＤモジュール１１をＰＷＭ制御する。
【００５６】
（実施の形態２）
次に、実施の形態２のスタンドライト１について説明する。
【００５７】
本実施の形態のスタンドライト１の構成は、実施の形態１の構成と同じであり、周囲の照度に応じて光源であるＬＥＤモジュール１１の出力を制御する制御方法についても、ＬＥＤ出力値の算出処理フローを除いて同じである。以下、実施の形態１と同じである点は説明を省略して、特徴部分を説明する。
【００５８】
図６は、実施の形態２のスタンドライト１の光源の出力を周囲の照度に応じて制御する制御フローにおいて、ＬＥＤ出力値を算出するＬＥＤ出力値算出処理のフロー図である。図６を用いて、ＬＥＤ出力値の算出処理フローについて説明を行う。
【００５９】
本実施の形態のスタンドライト１のＬＥＤ出力値の算出処理は、実施の形態１と異なり、周囲の照度が所定の第１照度以下である場合において、机上面の照度と周囲の照度の照度差を一定に保つように、スタンドライト１の出力を制御するようにしている。
【００６０】
具体的には、ＬＥＤ出力値を算出する工程（Ｓ７）において、周囲の照度（ＡＬ）が５０ｌｘより大きく２５０ｌｘ以下の範囲（図１のＣの範囲に属する）にあると判断された場合（Ｓ２５）、スタンドライト１の出力照度（ＬＯ）は、ＬＯ＝ＡＬ−５０を計算することによって算出される（Ｓ３７）。つまり、スタンドライト１の出力照度（ＬＯ）と周囲の照度（ＡＬ）の照度差は５０ｌｘで一定となるようにして、スタンドライト１の出力照度（ＬＯ）は算出される。なお、上記５０ｌｘの照度差は一例であって、これに限定されない。
【００６１】
その後、その算出されたスタンドライト１の出力照度を為すために、スタンドライト１の光源であるＬＥＤモジュール１１の出力値を決定する（Ｓ３８）。スタンドライト１の出力照度（ＬＯ）からＬＥＤモジュール１１の出力値を決定するには、制御用マイコン１５の記憶部に記憶されている変換テーブルを用いる。この変換テーブルについては、実施の形態１で説明した変換テーブルと同じである。
【００６２】
こうすることにより、周囲の照度が所定の第１照度（２５０ｌｘ）以下となってある程度暗くなれば、スタンドライト１の出力照度を、周囲の照度に応じて、周囲の照度と所定の照度差となるように制御することにより、机上照度と周囲の照度の照度差が、第１照度である場合の照度差よりも小さくすることができる。また、スタンドライト１の出力照度と周囲の照度の照度差を一定に保っているので、周囲の照度が小さくなるほど、机上照度と周囲の照度の照度差が小さくすることができる。よって、作業面が周囲に対して相対的に明るくなり過ぎることを避けることができるので、ユーザーが作業面を眩しく感じることを抑制でき、目に優しい照明とすることができる。また、スタンドライト１の出力を下げることができるので、省エネルギーを図ることができる。
【００６３】
以上の実施の形態の説明において、机上照度と周囲の照度の照度比または照度差を一定に保つように、机上照度を制御しているが、これに限定されず、所定の第１照度以下になれば、照射面の照度と周囲の照度の照度差が、周囲の照度が第１照度である場合の照度差よりも小さくなるように、スタンドライトの光源であるＬＥＤモジュールの出力が制御されるようにしていればよい。こうすることにより、上述したように、作業面が周囲に対して相対的に明るくなり過ぎることを避けることができるので、ユーザーが作業面を眩しく感じることを抑制でき、目に優しい照明とすることができる。また、スタンドライトの出力を下げることができるので、省エネルギーを図ることができる。
【００６４】
また、特に、照射面の照度と周囲の照度の照度差は、前記周囲の照度が小さくなるにつれて、徐々に小さくなるように、スタンドライトの光源であるＬＥＤモジュールの出力が制御されるようにしてあることが好ましい。これは、人の目が、明所視と、薄明視および暗所視で光の明るさの感じ方がことなるからである。つまり、周囲の照度が小さいほど、光に対して過敏に反応するので、僅かな明るさの光でも非常に明るく感じてしまう。よって、周囲の照度が小さくなるほど、照射面の照度と周囲の照度の照度差を小さくすることにより、より人の目に優しい照明とすることができる。
【００６５】
以上の実施の形態の説明において、光源としてＬＥＤモジュールを例示して説明したが、これに限定されず、蛍光灯、白熱電球、有機ＥＬ（Ｅｌｃｔｒｏ‐Ｌｕｍｉｎｅｓｃｅｎｃｅ）等の他の光源であってもよい。
【００６６】
また、以上の実施の形態の説明において、タスク照明装置としてスタンドライトを例示して説明したが、これに限定されず、天井等に取り付けられて作業面を照明するスポットライト等の他の照明装置であってもよい。
【図面の簡単な説明】
【００６７】
【図１】実施の形態１のスタンドライトの光出力を示すグラフである。
【図２】実施の形態１のスタンドライトが設置された室内を示す概念図である。
【図３】実施の形態１のスタンドライトの構成を示すブロック図である。
【図４】実施の形態１のスタンドライトの光源の出力を周囲の照度に応じて制御する制御フロー図である。
【図５】図４に記載の制御フロー図において、ＬＥＤ出力値を算出するＬＥＤ出力値算出処理のフロー図である。
【図６】実施の形態２のスタンドライトの光源の出力を周囲の照度に応じて制御する制御フローにおいて、ＬＥＤ出力値を算出するＬＥＤ出力値算出処理のフロー図である。
【符号の説明】
【００６８】
１  スタンドライト
５  照度センサ
１１  ＬＥＤモジュール
１５  制御用マイコン
【図１】
2010153243.tif 000003
【図２】
2010153243.tif 000004
【図３】
2010153243.tif 000005
【図４】
2010153243.tif 000006
【図５】
2010153243.tif 000007
【図６】
2010153243.tif 000008